(57)【要約】【課題】太陽電池パネル等を支持する支持金具の瓦上へのビス止め部分から雨漏りが発生するのを防止できる瓦用防水板金及び屋根構造を提供する。【解決手段】スレート瓦（瓦）２上に載置可能な板金３で構成され、板金３の上面に上方へ突出しかつ板金３の左端部から右端部に向かって斜め方向に延びる水切部４を設けた瓦用防水板金１。瓦用防水板金１を、建物の瓦屋根１１において前後方向に隣接する前方側のスレート瓦（瓦）２と後方側のスレート瓦（瓦）２の間に板金３の前端部を挿入するようにして、後方側のスレート瓦（瓦）２上に載置すると共に、瓦屋根１１上に設置される被支持物を支持するための支持金具１２を水切部４の後方かつ後方側のスレート瓦（瓦）２上に板金３を介して固定した屋根構造。【選択図】図７
0003178593.tif 000002
【実用新案登録請求の範囲】
【請求項１】
瓦上に載置可能な板金で構成され、
前記板金の上面に上方へ突出しかつ前記板金の左端部から右端部に向かって斜め方向に延びる水切部を設けた
ことを特徴とする瓦用防水板金。
【請求項２】
前記板金の下面における左端部近傍及び右端部近傍に、前後方向に延びかつ下面に粘着剤を介して離型フィルムが剥離可能に貼り付けられた止水シートをそれぞれ貼り付けた請求項１に記載の瓦用防水板金。
【請求項３】
前記離型フィルムの前端部を前記止水シートの前端部より突出させた請求項２に記載の瓦用防水板金。
【請求項４】
前記板金の後端部に下方へ突出する少なくとも１つの当接部を設けた請求項１から３のいずれかに記載の瓦用防水板金。
【請求項５】
前記板金の前端部近傍における下面に下方へ突出する少なくとも１つの突出部を設けた請求項１から４のいずれかに記載の瓦用防水板金。
【請求項６】
請求項１から５のいずれかに記載の瓦用防水板金を、建物の瓦屋根において前後方向に隣接する前方側の瓦と後方側の瓦の間に前記板金の前端部を挿入するようにして、前記後方側の瓦上に載置すると共に、
前記瓦屋根上に設置される被支持物を支持するための支持金具を前記水切部の後方かつ前記後方側の瓦上に前記板金を介して固定した
ことを特徴とする屋根構造。
【請求項７】
請求項１から５のいずれかに記載の瓦用防水板金を、建物の瓦屋根において前後方向に隣接する前方側の瓦と後方側の瓦の間に前記板金の前端部を挿入するようにして、前記後方側の瓦上に載置すると共に、
前記瓦屋根上に設置される被支持物を支持するための支持金具を前記後方側の瓦の更に後方側の瓦上に固定した
ことを特徴とする屋根構造。
【請求項８】
請求項１から５のいずれかに記載の瓦用防水板金を、建物の瓦屋根において前後方向に隣接する前方側の瓦と後方側の瓦の間に前記板金の前端部を挿入するようにして、前記後方側の瓦上に載置した屋根構造であって、
斜め方向に並設される複数の前記瓦用防水板金を前記瓦屋根の谷部の前方側に、前記水切部が斜め後方に向かって延びる方向及び前記谷部が斜め後方に向かって延びる方向が左右の同じ側になるように、かつ、前方側の前記瓦用防水板金より後方側の前記瓦用防水板金が前記谷部と反対の側方へずれながら少なくとも前記谷部の後端部の前方側まで達するように配置したことを特徴とする屋根構造。
【請求項９】
前記瓦用防水板金を前記瓦屋根の軒先部の前方側まで達するように配置した請求項８に記載の屋根構造。
【考案の詳細な説明】
【技術分野】
【０００１】
本考案は、太陽電池パネル等を支持する支持金具の瓦上へのビス止め部分から雨漏りが発生するのを防止するための瓦用防水板金、及びそれを用いた屋根構造に関するものである。
【背景技術】
【０００２】
周知のように、建物の屋根上に太陽光発電用の太陽電池パネルや、太陽熱温水器等を設置する場合、太陽電池パネル等を支持するための支持金具を屋根上に固定することが多い（例えば、特許文献１参照。）。
【０００３】
そして、屋根の下地上に設置された瓦上に支持金具を固定する場合、瓦に下孔を開けてから支持金具を瓦上にビス止めした上で、支持金具に対してコーキング材により止水処理を行うことが一般的である。
【先行技術文献】
【特許文献】
【０００４】
【特許文献１】特開平８−２９６７９６号公報（図４、等）
【考案の開示】
【考案が解決しようとする課題】
【０００５】
しかし、雨天時には雨水が屋根の上方から支持金具の近辺にも流下するので、上記のような止水処理を行っていても、コーキング材の経年劣化や施工不良等の不具合により、支持金具のビス止め部分から雨漏りが発生するおそれがあるという問題点がある。
【０００６】
本考案は、以上のような事情や問題点に鑑みてなされたものであり、太陽電池パネル等を支持する支持金具の瓦上へのビス止め部分から雨漏りが発生するのを防止できる瓦用防水板金及び屋根構造を提供することを目的とする。
【課題を解決するための手段】
【０００７】
上記目的を達成するための第１の考案としての瓦用防水板金は、瓦上に載置可能な板金で構成され、前記板金の上面に上方へ突出しかつ前記板金の左端部から右端部に向かって斜め方向に延びる水切部を設けたものである。
【０００８】
第２の考案としての瓦用防水板金は、前記板金の下面における左端部近傍及び右端部近傍に、前後方向に延びかつ下面に粘着剤を介して離型フィルムが剥離可能に貼り付けられた止水シートをそれぞれ貼り付けたものである。
【０００９】
第３の考案としての瓦用防水板金は、前記離型フィルムの前端部を前記止水シートの前端部より突出させたものである。
【００１０】
第４の考案としての瓦用防水板金は、前記板金の後端部に下方へ突出する少なくとも１つの当接部を設けたものである。
【００１１】
第５の考案としての瓦用防水板金は、前記板金の前端部近傍における下面に下方へ突出する少なくとも１つの突出部を設けたものである。
【００１２】
また、第６の考案としての屋根構造は、第１〜第５のいずれかの考案としての瓦用防水板金を、建物の瓦屋根において前後方向に隣接する前方側の瓦と後方側の瓦の間に前記板金の前端部を挿入するようにして、前記後方側の瓦上に載置すると共に、前記瓦屋根上に設置される被支持物を支持するための支持金具を前記水切部の後方かつ前記後方側の瓦上に前記板金を介して固定したものである。
【００１３】
第７の考案としての屋根構造は、第１〜第５のいずれかの考案としての瓦用防水板金を、建物の瓦屋根において前後方向に隣接する前方側の瓦と後方側の瓦の間に前記板金の前端部を挿入するようにして、前記後方側の瓦上に載置すると共に、前記瓦屋根上に設置される被支持物を支持するための支持金具を前記後方側の瓦の更に後方側の瓦上に固定したものである。
【００１４】
第８の考案としての屋根構造は、第１〜第５のいずれかの考案としての瓦用防水板金を、建物の瓦屋根において前後方向に隣接する前方側の瓦と後方側の瓦の間に前記板金の前端部を挿入するようにして、前記後方側の瓦上に載置した屋根構造であって、斜め方向に並設される複数の前記瓦用防水板金を前記瓦屋根の谷部の前方側に、前記水切部が斜め後方に向かって延びる方向及び前記谷部が斜め後方に向かって延びる方向が左右の同じ側になるように、かつ、前方側の前記瓦用防水板金より後方側の前記瓦用防水板金が前記谷部と反対の側方へずれながら少なくとも前記谷部の後端部の前方側まで達するように配置したものである。
【００１５】
第９の考案としての屋根構造は、前記瓦用防水板金を前記瓦屋根の軒先部の前方側まで達するように配置したものである。
【考案の効果】
【００１６】
第１、第６、及び第７の考案によれば、支持金具の前方に瓦用防水板金の水切部が位置するので、雨天時に瓦屋根上を流下する雨水は支持金具の近辺を迂回するように水切部に沿って斜め後方に流される。そのため、支持金具のビス止め部分における止水処理のコーキング材に経年劣化や施工不良等の不具合が生じていても、支持金具のビス止め部分から雨漏りが発生するのを防止することができる。
【００１７】
第２、第６、及び第７の考案によれば、止水シートによって、雨水が側方から水切部の下方に浸水するのを防止することができる。
【００１８】
第３、第６、及び第７の考案によれば、離型フィルムをその前端部が板金の左端部及び右端部からそれぞれ側方へ突出するように折り返した状態の突出長さをより大きくして離型フィルムを剥がしやすくできるので、瓦用防水板金の施工性を向上することができる。
【００１９】
第４、第６、及び第７の考案によれば、瓦用防水板金を後方側の瓦上に載置した際に当接部を後方側の瓦の後端部に当接させることができるので、瓦用防水板金の位置決めを簡単に行うことができる。
【００２０】
第５、第６、及び第７の考案によれば、前方側の瓦と後方側の瓦の間に突出部が挟まれるので、瓦用防水板金がずれるのを防止することができる。
【００２１】
第８の考案によれば、雨天時に瓦屋根の谷部に向かって流下する雨水の一部が複数の瓦用防水板金の水切部に沿って斜め後方へ流され、雨水が瓦屋根の谷部及び軒先部に分散して流下するので、瓦屋根の谷部の後端部直下付近の軒樋から雨水があふれるのを防止することができる。
【００２２】
第９の考案によれば、瓦屋根の谷部の後端部直下付近の軒樋から雨水があふれるのをより確実に防止することができる。
【図面の簡単な説明】
【００２３】
【図１】第１実施形態における瓦用防水板金の平面図である。
【図２】図１の瓦用防水板金の底面図である。
【図３】図１の左方向から見た瓦用防水板金の左側面図である。
【図４】図１のＡ−Ａ線要部拡大端面図である。
【図５】図３の突出部付近の要部拡大左側面図である。
【図６】前方側のスレート瓦と後方側のスレート瓦の間に板金の前端部を挿入する様子を示す要部拡大平面図である。
【図７】第１実施形態の瓦用防水板金を用いた屋根構造を示す要部拡大平面図である。
【図８】後方側のスレート瓦の更に後方側のスレート瓦上に支持金具があらかじめ固定されている場合の屋根構造を示す要部拡大平面図である。
【図９】第２実施形態における瓦用防水板金の平面図である。
【図１０】図９の瓦用防水板金の底面図である。
【図１１】図９の左方向から見た瓦用防水板金の左側面図である。
【図１２】第２実施形態の瓦用防水板金を用いた屋根構造を示す要部拡大平面図である。
【図１３】第１実施形態の瓦用防水板金を用いた他の屋根構造を示す平面図である。
【考案を実施するための形態】
【００２４】
以下、本考案の実施形態を図面に基づいて説明する。
第１実施形態における瓦用防水板金１は、図１〜図７に示すように、スレート瓦（瓦）２上に載置可能な板金３で構成されていると共に、板金３の上面に上方へ突出しかつ板金３の左端部から右端部に向かって斜め前方（斜め方向）に延びる水切部４を設けたものである。
【００２５】
瓦は、スレート瓦２に限定されるものではなく、後述の平瓦その他の従来公知の適宜の瓦でもよい。
【００２６】
板金３の材質としては、ガルバリウム鋼板（例えば商品名「耐摩カラーＧＬ」）、溶融亜鉛めっき鋼板（例えば商品名「耐摩カラー」）等の塗装鋼板等が挙げられる。板金３の厚さや大きさは、特に限定されるものではなく、適宜変更可能である。
【００２７】
水切部４は、図１〜図４に示すように、板金３の上面に、板金３を折曲することにより、上方へ突出しかつ板金３の左端部から右端部に向かって斜め前方に延びるように設けられている。この水切部４は、板金３の左端部から右端部に向かって斜め後方に延びるように設けてもよい。
【００２８】
板金３の下面における左端部近傍及び右端部近傍には、前後方向に延びる止水シート５がそれぞれ粘着剤等により貼り付けられている。止水シート５の下面には、粘着剤を介して離型フィルム６が剥離可能に貼り付けられている。離型フィルム６の前端部は、止水シート５の前端部より突出するように形成されている。止水シート５の材質としては、ブチルゴム等が挙げられる。止水シート５の厚さや大きさは、特に限定されるものではなく、適宜変更可能である。
【００２９】
板金３の後端部には、図２及び図３に示すように、板金３を折曲することにより、下方へ突出しかつ板金３の左右方向に延びる当接部７が設けられている。当接部７の数は１つに限定されるものではなく、下方へ突出する２つ以上の当接部７を板金３の後端部に設けてもよい。
【００３０】
板金３の前端部近傍における下面には、図１〜図３及び図５に示すように、板金３を折曲することにより、下方へ突出しかつ板金３の左右方向に延びる突出部８が設けられている。突出部８の数も１つに限定されるものではなく、下方へ突出する２つ以上の突出部８を板金３の前端部近傍における下面に設けてもよい。
【００３１】
次に、瓦用防水板金１を用いた屋根構造について説明する。
この屋根構造は、図６及び図７に示すように、瓦用防水板金１を、建物の瓦屋根１１において前後方向に隣接する前方側のスレート瓦２と後方側のスレート瓦２の間に板金３の前端部を挿入するようにして、後方側のスレート瓦２上に載置すると共に、瓦屋根１１上に設置される被支持物を支持するための支持金具１２を水切部４の後方かつ後方側のスレート瓦２上に板金３を介して固定したものである。
【００３２】
被支持物としては、太陽光発電用の太陽電池パネルや、太陽熱温水器等が挙げられる。
【００３３】
瓦屋根１１の施工後において前方側のスレート瓦２と後方側のスレート瓦２の間に板金３の前端部を挿入する際には、前方側のスレート瓦２と後方側のスレート瓦２の間にマイナスドライバー（図示せず）等の適宜の介在物を挟んでおけばよい。この際、離型フィルム６は、その前端部が板金３の左端部及び右端部からそれぞれ側方へ突出するように折り返す等しておけばよい。瓦用防水板金１を後方側のスレート瓦２上に載置する際には、離型フィルム６を剥がして止水シート５を後方側のスレート瓦２に貼り付ければよい。
【００３４】
ここで、本実施形態のように、離型フィルム６の前端部を止水シート５の前端部から突出させておけば、離型フィルム６をその前端部が板金３の左端部及び右端部からそれぞれ側方へ突出するように折り返した状態の突出長さをより大きくして離型フィルム６を剥がしやすくできるので、瓦用防水板金１の施工性を向上できるという利点がある。また、板金３の後端部に下方へ突出する少なくとも１つの当接部７を設けておけば、瓦用防水板金１を後方側のスレート瓦２上に載置した際に当接部７を後方側のスレート瓦２の後端部に当接させることができるので、瓦用防水板金１の位置決めを簡単に行えるという利点がある。更に、板金３の前端部近傍における下面に下方へ突出する少なくとも１つの突出部８を設けておけば、前方側のスレート瓦２と後方側のスレート瓦２の間に突出部８が挟まれるので、瓦用防水板金１がずれるのを防止できるという利点がある。
【００３５】
上記のように構成された屋根構造においては、支持金具１２の前方に瓦用防水板金１の水切部４があるので、雨天時に瓦屋根１１上を流下する雨水１３は支持金具１２の近辺を迂回するように水切部４に沿って斜め後方に流される。そのため、支持金具１２のビス止め部分における止水処理のコーキング材に経年劣化や施工不良等の不具合が生じていても、支持金具１２のビス止め部分から雨漏りが発生するのを防止できるという利点がある。
【００３６】
ここで、本実施形態のように、瓦用防水板金１の板金３の下面における左端部近傍及び右端部近傍に止水シート５をそれぞれ貼り付けておけば、雨水１３が側方から水切部４の下方に浸水するのを防止できるという利点がある。
【００３７】
なお、後方側のスレート瓦２の更に後方側のスレート瓦２上に支持金具１２があらかじめ固定されている場合には、図８に示すように、瓦用防水板金１を、前方側のスレート瓦２と後方側のスレート瓦２の間に板金３の前端部を挿入するようにして、後方側のスレート瓦２上に載置すればよい。この場合にも、支持金具１２の前方に瓦用防水板金１の水切部４があるので、上記と同様の利点がある。
【００３８】
第２実施形態における瓦用防水板金２１は、図９〜図１２に示すように、平瓦（瓦）２２上に載置可能な板金２３で構成されていると共に、板金２３の上面に上方へ突出しかつ板金２３の左端部から右端部に向かって斜め後方（斜め方向）に延びる水切部４を設けたものである。
【００３９】
板金２３の材質や厚さとしては、第１実施形態における板金３と同様でよい。
【００４０】
水切部４は、板金２３の上面に、上方へ突出しかつ板金２３の左端部から右端部に向かって斜め後方に延びるように設けられている。この水切部４は、板金２３の左端部から右端部に向かって斜め前方に延びるように設けてもよい。
【００４１】
板金２３の下面における左端部近傍及び右端部近傍には、前後方向に延びる止水シート５がそれぞれ粘着剤等により貼り付けられている。止水シート５の下面には、粘着剤を介して離型フィルム６が剥離可能に貼り付けられている。
【００４２】
次に、瓦用防水板金２１を用いた屋根構造について説明する。
この屋根構造は、図１２に示すように、瓦用防水板金２１を、建物の瓦屋根３１において前後方向に隣接する前方側の平瓦２２と後方側の平瓦２２の間に板金２３の前端部を挿入するようにして、後方側の平瓦２２上に載置すると共に、瓦屋根３１上に設置される被支持物を支持するための支持金具１２を後方側の平瓦２２の更に後方側の平瓦２２上に固定したものである。
【００４３】
上記のように構成された屋根構造においては、支持金具１２の前方に瓦用防水板金２１の水切部４があると共に、水切部４の下方かつ板金２３の下面における左端部近傍及び右端部近傍に止水シート５がそれぞれ貼り付けられているので、第１実施形態の瓦用防水板金１を用いた場合と同様の利点がある。
【００４４】
次に、第１実施形態の瓦用防水板金１を用いた他の屋根構造について説明する。
この屋根構造は、図１３に示すように、瓦用防水板金１を、建物の瓦屋根４１において前後方向に隣接する前方側のスレート瓦２と後方側のスレート瓦２の間に板金３の前端部を挿入するようにして、後方側のスレート瓦２上に載置した屋根構造であって、斜め方向に並設される複数の瓦用防水板金１を瓦屋根４１の谷部４２の前方側に、水切部４が斜め後方に向かって延びる方向及び谷部４２が斜め後方に向かって延びる方向が左側（左右の同じ側）になるように、かつ、前方側の瓦用防水板金１より後方側の瓦用防水板金１が谷部４２と反対の左側方（側方）へずれながら少なくとも谷部４２の後端部の前方側まで達するように配置したものである。
【００４５】
斜め方向に並設される複数の瓦用防水板金１は、瓦屋根４１の谷部４２の前方側に、水切部４が斜め後方に向かって延びる方向及び谷部４２が斜め後方に向かって延びる方向が右側になるように、かつ、前方側の瓦用防水板金１より後方側の瓦用防水板金１が谷部４２と反対の右側方へずれながら少なくとも谷部４２の後端部の前方側まで達するように配置してもよい。
【００４６】
谷部４２を有する瓦屋根４１の軒先部４３には、軒樋４４が取り付けられている。雨天時に瓦屋根４１上を流下する雨水１３は、瓦屋根４１の谷部４２や軒先部４３から軒樋４４に流れるようになっている。
【００４７】
上記のように構成された屋根構造においては、雨天時に瓦屋根４１の谷部４２に向かって流下する雨水１３の一部が複数の瓦用防水板金１の水切部４に沿って斜め後方へ流され、雨水１３が瓦屋根４１の谷部４２及び軒先部４３に分散して流下するので、瓦屋根４１の谷部４２の後端部直下付近の軒樋４４から雨水１３があふれるのを防止できるという利点がある。また、本実施形態のように、瓦用防水板金１を瓦屋根４１の軒先部４３の前方側まで達するように配置しておけば、瓦屋根４１の谷部４２の後端部直下付近の軒樋４４から雨水１３があふれるのをより確実に防止できるという利点がある。
【産業上の利用可能性】
【００４８】
以上のように、本考案の瓦用防水板金及びそれを用いた屋根構造は、太陽電池パネルや太陽熱温水器等を支持する支持金具の瓦上へのビス止め部分から雨漏りが発生するのを防止するための手段や、瓦屋根の谷部の後端部直下付近の軒樋から雨水があふれるのを防止するための手段として有用である。
【符号の説明】
【００４９】
１  瓦用防水板金
２  スレート瓦（瓦）２
３  板金
４  水切部
５  止水シート
６  離型フィルム
７  当接部
８  突出部
１１  瓦屋根
１２  支持金具
２１  瓦用防水板金
２２  平瓦（瓦）
２３  板金
３１  瓦屋根
４１  瓦屋根
４２  谷部
４３  軒先部
【図１】
0003178593.tif 000003
【図２】
0003178593.tif 000004
【図３】
0003178593.tif 000005
【図４】
0003178593.tif 000006
【図５】
0003178593.tif 000007
【図６】
0003178593.tif 000008
【図７】
0003178593.tif 000009
【図８】
0003178593.tif 000010
【図９】
0003178593.tif 000011
【図１０】
0003178593.tif 000012
【図１１】
0003178593.tif 000013
【図１２】
0003178593.tif 000014
【図１３】
0003178593.tif 000015